(57)【特許請求の範囲】
【請求項１】
（Ａ）アニオン界面活性剤の１種又は２種以上と、
（Ｂ）下記一般式（１）
0005567888.tif 000009
（Ｒ1ＣＯはイソステアリン酸残基、Ｒ2、Ｒ3は炭素数１〜３のアルキル基、ヒドロキシアルキル基、Ｒ4は炭素数１〜３のアルキレン基もしくはヒドロキシアルキレン基、Ｘは−ＣＯＯもしくは−ＳＯ３、ａは１〜５の整数を表す。）で表される両性界面活性剤及び
（Ｃ）ジステアリン酸グリコール
を含有してなる洗浄剤組成物。
【請求項２】
洗浄剤組成物全量中に、前記（Ａ）成分を１〜３０質量％、（Ｂ）成分を１〜２０質量％および（Ｃ）成分を０．１〜１０質量％含有してなる請求項１記載の洗浄剤組成物。
【請求項３】
更に、（Ｄ）（Ｂ）成分以外の両性界面活性剤を配合してなる請求項１又は２に記載の洗浄剤組成物。
【請求項４】
更に、（Ｅ）多価アルコールを配合してなる請求項１〜３のいずれか１項に記載の洗浄剤組成物。
【発明の詳細な説明】
【技術分野】
【０００１】
本発明は、毛髪や皮膚に対して良好な使用感とコンディショニング効果を付与し、かつ低温安定性が良好で、特にダメージヘアに対する洗髪時の使用感（泡立ち、泡質、滑り性）と乾燥時の感触（滑らかさ、しっとり感）及び乾燥翌日の感触（うるおい感）に優れる洗浄剤組成物に関する。
【背景技術】
【０００２】
従来、洗浄剤組成物にはアルキル硫酸エステル塩、ポリオキシエチレンアルキル硫酸エステル塩、Ｎ−アシルアミノ酸塩、高級脂肪酸塩等のアニオン界面活性剤が用いられる。アニオン界面活性剤は優れた洗浄性を有するが皮膚や毛髪の汚れのみならず必要以上の皮脂成分等を除去してしまい、感触面できしみ感やつっぱり感を生じ、また安全性の面で比較的刺激性が高いなどの欠点や起泡性には優れているが泡質が粗いなどの欠点がある。
【０００３】
そこで、これらを改良するために特許文献１には特定のアニオン界面活性剤とアルキロイルアミドベタインとアルキロールアミド型非イオン界面活性剤を特定の割合で配合した低刺激性の洗浄剤組成物が提案され、特許文献２にはＮ−アシル中性アミノ酸塩と両性界面活性剤と多価アルコールを特定の割合で配合した毛髪洗浄剤組成物が提案されているが、それぞれの実施例に記載されている両性界面活性剤を使用した組成物は、低温安定性には優れるものの、洗浄時の滑り性、洗髪時の指通り性で満足のいくものではなかった。
【０００４】
また、特許文献３には特定のアニオン界面活性剤とカチオン界面活性剤とベタイン型両性界面活性剤を配合したシャンプー組成物が提案され、実施例中にＣ１８アルキル基を有するアミドアルキルベタインを配合したシャンプー組成物が記載されているが、直鎖のＣ１８アルキル基を有する場合シャンプー組成物に析出を生じるなど低温安定性に問題があり、配合量の制約を受ける場合がある。一方、特許文献４にはアルキル組成を限定した特定のアミドプロピルベタイン型両性界面活性剤と特定のアニオン界面活性剤を配合したゲル状組成物が提案されているが、比較例中Ｃ１８（不飽和１）が９５％配合された試験処方で固化しており、Ｃ１８（不飽和１）の不飽和脂肪酸も低温安定性が悪く、また臭気が問題となる場合もある。
【０００５】
更に、特許文献１〜４の提案では、近年増加しているダメージヘアに対しては、十分満足のいく洗浄時の使用感（泡立ち、泡質、滑り性）と乾燥時の感触（滑らかさ、しっとり感）及び乾燥翌日の感触（うるおい感）は得られていなかった。また特許文献５にはアニオン界面活性剤とイソステアリン酸残基を有する特定のアミドプロピルベタイン型両性界面活性剤を配合した洗浄剤組成物が提案されているが、洗浄時の泡立ち、泡質（きめの細かさ）と乾燥時の感触（滑らかさ、しっとり感）及び乾燥翌日の感触（うるおい感）において満足のいく感触が得られていなかった。
【０００６】
【特許文献１】特開昭６０―８６１９８号公報（１−７頁）
【特許文献２】特開平１０−２４５３２３号公報（１−９頁）
【特許文献３】特開昭６３―３１３７１１号公報（１−７頁）
【特許文献４】特開平６−１４５６９３号公報（１−５頁）
【特許文献５】特開２０１０−３１２７４号公報（１−１３頁）
【発明の開示】
【発明が解決しようとする課題】
【０００７】
したがって、本発明は、毛髪や皮膚に対して良好な使用感とコンディショニング効果を付与し、かつ低温安定性が良好で、特にダメージヘアに対する洗髪時の使用感（泡立ち、泡質、滑り性）と乾燥時の感触（滑らかさ、しっとり感）及び乾燥翌日の感触（うるおい感）に優れる洗浄剤組成物を提供することにある。
【課題を解決するための手段】
【０００８】
本発明者らは上記課題を解決すべく鋭意検討を重ねた結果、（Ａ）アニオン界面活性剤の１種又は２種以上と、（Ｂ）特定の両性界面活性剤と、（Ｃ）非イオン界面活性剤を含有することにより、上記要件を満たす洗浄剤組成物が得られることを見出し、本発明を完成させた。
【０００９】
すなわち、本発明によれば、
（Ａ）アニオン界面活性剤の１種又は２種以上と、
（Ｂ）下記一般式（１）
0005567888.tif 000002
（Ｒ1ＣＯはイソステアリン酸残基、Ｒ2、Ｒ3は炭素数１〜３のアルキル基、ヒドロキシアルキル基、Ｒ4は炭素数１〜３のアルキレン基もしくはヒドロキシアルキレン基、Ｘは−ＣＯＯもしくは−ＳＯ３、ａは１〜５の整数を表す。）で表される両性界面活性剤及び
（Ｃ）非イオン界面活性剤
を含有する洗浄剤組成物が、毛髪や皮膚に対して良好な使用感とコンディショニング効果を付与し、かつ低温安定性が良好で、特にダメージヘアに対して良好な洗髪時の使用感（泡立ち、泡質、滑り性）と乾燥時の感触（滑らかさ、しっとり感）及び乾燥翌日の感触（うるおい感）を付与することができる。
【発明を実施するための最良の形態】
【００１０】
以下に、本発明の毛髪用組成物について詳述する。
本発明に使用される（Ａ）成分のアニオン界面活性剤としては、硫酸エステル系アニオン界面活性剤、アミノ酸系アニオン界面活性剤、リン酸エステル系アニオン界面活性剤、カルボン酸系アニオン界面活性剤、スルホン酸系アニオン界面活性剤が挙げられ、具体的には、アルキル硫酸塩、ポリオキシアルキレンアルキルエーテル硫酸塩、ポリオキシエチレンアルキルモノエタノールアミド硫酸塩、アシルグリシネート、アシルサルコシンネート、アシルアラニネート、アシルメチルアラニネート、アシルタウレート、アシルメチルタウレート、アシルグルタメート、アルキルリン酸エステル塩、ポリオキシアルキレンアルキルエーテルリン酸エステル塩、高級脂肪酸塩、ポリオキシエチレンアルキルエーテルカルボン酸塩、アルカンスルホン酸塩、アルキルスルホコハク酸塩、ポリオキシエチレンアルキルエーテルスルホコハク酸塩、アルキルエチルエステルスルホン酸塩などが挙げられ、炭素数８〜１８のアルキル基、特に炭素数１０〜１６のアルキル基が好ましく、これらの中でもラウリル硫酸ナトリウム、ラウリルエーテル硫酸ナトリウム、ヤシ油脂肪酸メチルタウリンナトリウム、高級脂肪酸塩が特に好適に用いられる。本発明では、これらのアニオン界面活性剤の中から１種又は２種以上を任意に用いることができる。
【００１１】
（Ａ）成分の洗浄剤組成物中の配合量は、１〜３０質量％が好ましく、１〜２５質量％がより好ましく、５〜２０質量％が特に好ましい。（Ａ）成分の配合量が少なすぎると皮膚、毛髪洗浄時に十分な洗浄効果、泡立ちが得られず、多すぎても効果が向上せず好ましくない。
【００１２】
本発明に使用される（Ｂ）成分の両性界面活性剤は、上記一般式（１）で表される両性界面活性剤であり、具体的には、イソステアリン酸アミドエチルジメチルアミノ酢酸ベタイン、イソステアリン酸アミドプロピルジメチルアミノ酢酸ベタイン、イソステアリン酸アミドエチルジエチルアミノ酢酸ベタイン、イソステアリン酸アミドプロピルジエチルアミノ酢酸ベタイン、イソステアリン酸アミドエチルジメチルアミノヒドロキシスルホベタイン、イソステアリン酸アミドプロピルジメチルアミノヒドロキシスルホベタイン、イソステアリン酸アミドエチルジエチルアミノヒドロキシスルホベタイン、イソステアリン酸アミドプロピルジエチルアミノヒドロキシスルホベタインなどが挙げられ、これらの中でもイソステアリン酸アミドプロピルジメチルアミノ酢酸ベタインが特に好適に用いられる。
【００１３】
両性界面活性剤（Ｂ）の製造方法としては、イソステアリン酸或いはイソステアリン酸低級アルキルエステルなどの誘導体とジアルキルアミノアルキルアミン(ジアミン)とを縮合反応させ、その後、未反応のジアミンを、減圧又は窒素ブローにて留去することにより、イソステアリン酸アミドアルキルジアルキルアミン(アミドアミン)を得る。次に、得られたアミドアミンを水及び／又は低級アルコール又は多価アルコールなどの単独溶媒系或いは混合溶媒系でモノハロアルキルカルボン酸又はその塩などと反応させ目的のベタインを得る。なお、イソステアリン酸としては、高級アルコール工業社製「イソステアリン酸ＥＸ」、コグニスジャパン社製「Ｅｍｅｒｓｏｌ８７４」、Ｕｎｉｑｅｍａ社製「ＰＲＩＳＯＲＩＮＥ３５０５」等を使用することができる。
【００１４】
アミドアミンの具体的合成方法としては、イソステアリン酸或いはその誘導体１モルに対して、０．９〜２．０モルのジアミンを８０〜２２０℃で滴下するなどの方法で添加し、反応が終了するまで同温で熟成する。反応が終了したら過剰のジアミンを同温で減圧留去しアミドアミンを得る。反応中は窒素等の不活性ガスを導入し、反応留出液を系外に速やかに留出させるのが好ましい。また脂肪酸誘導体を使用した場合は、ナトリウムメチラート等のアルカリ触媒を用いることにより、より速やかに反応を進行することが出来る。
【００１５】
ここで用いられるジアミンとしては、ジメチルアミノエチルアミン、ジメチルアミノプロピルアミン、ジエチルアミノエチルアミン、ジエチルアミノプロピルアミンなどが挙げられ、これらの中でもジメチルアミノプロピルアミン、ジエチルアミノエチルアミンが特に好適に用いられる。ジアミンの反応モル比は１．０〜１．５モル、反応温度は１５０〜２００℃がより好ましい。
【００１６】
次にベタインの具体的合成方法としては、ベタインの有効成分が１０〜４０％になるように水／低級アルコール又は多価アルコール＝１０〜９０／９０〜１０の混合溶媒中にアミドアミン１モルを溶解させ、温度５０〜１００℃で１〜２モルのモノハロアルキルカルボン酸又はその塩を添加し１〜２４時間同温で熟成し反応させる。
【００１７】
アミドアミンと反応させるモノハロアルキルカルボン酸又はその塩としては、モノクロロ酢酸、モノクロロプロピオン酸、モノクロロ酪酸、モノブロモ酢酸、モノブロモプロピオン酸、モノブロモ酪酸並びにそれらのナトリウム塩、カリウム塩などが挙げられ、これらの中でもモノクロロ酢酸、モノクロロ酢酸ナトリウムが特に好適に用いられる。モノハロアルキルカルボン酸又はその塩は１〜１．２モル、反応温度は７０〜９５℃、反応時間は１〜１０時間がより好ましい。
【００１８】
また、反応溶媒として用いる低級アルコール又は多価アルコールとしては、エタノール、２−プロパノール、プロピレングリコール、ジプロピレングリコール，１，３−ブチレングリコールなどが挙げられ、これらの中でもエタノール、プロピレングリコール、ジプロピレングリコールが特に好適に用いられる。反応系中のベタインの有効成分は１５〜３５％、水／反応溶媒の混合比は、水／反応溶媒＝３０〜７０／７０〜３０がより好ましい。
【００１９】
（Ｂ）成分の洗浄剤組成物中の配合量は、１〜２０質量％が好ましく、１〜１５質量％がより好ましく、３〜１０質量％が特に好ましい。（Ｂ）成分の配合量が少な過ぎると皮膚、毛髪洗浄時に十分な使用感（泡立ち、泡質）、乾燥後の感触（滑らかさ、しっとり感）が得られず、多すぎても効果が向上せず好ましくない。
【００２０】
本発明に使用される（Ｃ）成分の非イオン界面活性剤としては、アルカノールアミド類、ポリオキシアルキレンアルキルエーテル類、ポリオキシアルキレングリコール類、アルキレングリコール脂肪酸エステル類、ポリオキシアルキレン脂肪酸エステル類、ソルビタン脂肪酸エステル類、ポリオキシアルキレンソルビタン脂肪酸エステル類、ソルビット脂肪酸エステル類、ポリオキシアルキレンソルビット脂肪酸エステル類、ポリオキシアルキレングリセリン脂肪酸エステル類、ポリグリセリン脂肪酸エステル類、ポリオキシアルキレンアルキルフェニルエーテル類、テトラポリオキシアルキレンエチレンジアミン縮合物類、ショ糖脂肪酸エステル類、ポリオキシアルキレン脂肪酸アミド類、ポリオキシアルキレングリコール脂肪酸エステル類、ポリオキシアルキレンひまし油誘導体、ポリオキシアルキレン硬化ひまし油誘導体、アルキルポリグリコシド等が挙げられ、これらの中でもアルカノールアミド類、アルキレングリコール脂肪酸エステル類が特に好適に用いられる。本発明では、これらの非イオン界面活性剤の中から１種又は２種以上を任意に用いることができる。
【００２１】
本発明に使用される（Ｄ）成分の（Ｂ）成分以外の両性界面活性剤としては、アルキルベタイン、アルキルアミドプロピルベタイン、アルキルアミンオキシド、アルキルヒドロキシスルホベタイン、アミノ酸系両性界面活性剤（イミドゾリン系ベタイン）が挙げられ、具体的には、ラウリルジメチルアミノ酢酸ベタイン、ヤシ油アルキルベタイン、ラウリル酸アミドプロピルベタイン、ヤシ油脂肪酸アミドプロピルベタイン、パーム油脂肪酸アミドプロピルベタイン、Ｎ−ラウロイル−Ｎ′−カルボキシメチル−Ｎ′−ヒドロキシエチルエチレンジアミンナトリウム、Ｎ−ココイル−Ｎ′−カルボキシメチル−Ｎ′−ヒドロキシエチルエチレンジアミンナトリウム、ラウリルヒドロキシスルホベタイン、ヤシ油アルキルヒドロキシスルホベタイン、ラウリル酸アミドプロピルジメチルアミノ酢酸ヒドロキシスルホベタイン、ヤシ油脂肪酸アミドプロピルジメチルアミノ酢酸ヒドロキシスルホベタイン、パーム油脂肪酸アミドプロピルジメチルアミノ酢酸ヒドロキシスルホベタイン、ヤシ油アルキルジメチルアミンオキシド等が挙げられ、ヤシ油脂肪酸アミドプロピルベタイン、Ｎ−ラウロイル−Ｎ′−カルボキシメチル−Ｎ′−ヒドロキシエチルエチレンジアミンナトリウムが特に好適に用いられる。本発明では、これらの両性界面活性剤の中から選ばれる１種以上を任意に用いることができる。
【００２２】
（Ｄ）成分の配合量は、０．１〜１０質量％が好ましく、１〜５質量％がより好ましい。（Ｄ）成分の配合量が少なすぎると期待される効果が不十分となり、また多すぎても、べたつくなど感触が悪くなり好ましくない。
【００２３】
また、（Ｅ）多価アルコールとしては、ジエチレングリコール、プロピレングリコール、ジプロピレングリコール、１，３−ブチレングリコール、１，２−ペンタンジオール、グリセリン、ジグリセリン、エリスリトール等が挙げられ、プロピレングリコール、ジプロピレングリコールが特に好適に用いられる。本発明では、これらの多価アルコールの中から選ばれる１種以上を任意に用いることができる。
【００２４】
（Ｅ）成分の配合量は、０．１〜１０質量％が好ましく、１〜５質量％がより好ましい。（Ｅ）成分の配合量が少なすぎると期待される効果が不十分となり、また多すぎても、べたつくなど感触が悪くなり好ましくない。
【００２５】
本発明の洗浄剤組成物には、発明の効果を損なわない範囲で洗浄剤組成物に通常使用される成分を配合することができる。
【００２６】
具体的には、カチオン界面活性剤及び／又は３級アミン：アルキルトリメチルアンモニウム塩、アルキルアミドアミン、アルキルヒドロキシエーテルアミンなどが挙げられ、カチオン界面活性剤としては具体的に、ラウリルトリモニウムクロリド、ミリスチルトリモニウムクロリド、セチルトリモニウムクロリド、ステアリルトリモニウムクロリド、ベヘニルトリモニウムクロリド、ラウリルトリモニウムブロミド、ミリスチルトリモニウムブロミド、セチルトリモニウムブロミド、ステアリルトリモニウムブロミド、ベヘニルトリモニウムブロミド、ラウリルＰＧトリモニウムクロリド、ミリスチルＰＧトリモニウムクロリド、セチルＰＧトリモニウムクロリド、ステアリルＰＧトリモニウムクロリド、ベヘニルＰＧトリモニウムクロリド、ラウリルＰＧトリモニウムブロミド、ミリスチルＰＧトリモニウムブロミド、セチルＰＧトリモニウムブロミド、ステアリルＰＧトリモニウムブロミド、ベヘニルＰＧトリモニウムブロミド等が挙げられるが、特に限定されるものではない。
【００２７】
３級アミンとしては具体的に、ラウリルジメチルアミン、ミリスチルジメチルアミン、セチルジメチルアミン、ステアリルジメチルアミン、オレイルジメチルアミン、イソステアリルジメチルアミン、アラキルジメチルアミン、ベヘニルジメチルアミン、ラウラミドプロピルジメチルアミン、ミリスタミドプロピルジメチルアミン、パルミタミドプロピルジメチルアミン、ステアラミドプロピルジメチルアミン、オレアミドプロピルジメチルアミン、イソステアラミドプロピルジメチルアミン、アラキナミドプロピルジメチルアミン、ベヘナミドプロピルジメチルアミン、ステアラミドエチルジエチルアミン、アラキナミドエチルジエチルアミン、ベヘナミドエチルジエチルアミン、ラウリルＰＧジメチルアミン、ミリスチルＰＧジメチルアミン、セチルＰＧジメチルアミン、ステアリルＰＧジメチルアミン、ベヘニルＰＧジメチルアミン等が挙げられるが、特に限定されるものではない。
【００２８】
３級アミンは無機酸及び／又は有機酸で中和され塩として用いられるが、無機酸及び／又は有機酸の具体例としては、塩酸、硫酸、リン酸、酢酸、乳酸、グリコール酸、クエン酸、グルタミン酸、リンゴ酸、コハク酸等が挙げられ、これらの中から１種又は２種を任意に用いることができる。
【００２９】
ジメチコン／シリコーン誘導体：ジメチコン、ジメチコノール、メチルフェニルポリシロキサン、ジフェニルポリシロキサン等の鎖状ポリシロキサン、デカメチルシクロペンタシロキサン、ドデカメチルシクロペンタシロキサン等の環状ポリシロキサン、３次元網目構造を有するシリコーン樹脂、シリコーンゴム、アミノ変性シリコーン、脂肪酸変性ポリシロキサン、アルコール変性シリコーン、脂肪族変性ポリシロキサン、ポリエーテル変性シリコーン、エポキシ変性シリコーン、フッ素変性シリコーン、アルキル変性シリコーン等が挙げられるが、特に限定されるものではない。
【００３０】
カチオン性ポリマー：カチオン化セルロース、カチオン化グアーガム、カチオン化デンプン、カチオン化デキストラン、カチオン化ガラクトマンナン、ジアリル４級アンモニウム塩のホモポリマー、ジアリル４級アンモニウム塩／アクリルアミド共重合体、４級化ポリビニルピロリドン誘導体、ポリグリコールポリアミン縮合物、ビニルイミダゾリニウムトリクロライド／ビニルピロリドン共重合体、ヒドロキシエチルセルロース／ジメチルジアリルアンモニウムクロライド共重合体、ビニルピロリドン／４級化ジメチルアミノエチルメタクリレート共重合体、ポリビニルピロリドン／アルキルアミノアクリレート／ビニルカプロラクタム共重合体、ビニルピロリドン／メタクリルアミドプロピル塩化トリメチルアンモニウム共重合体、アルキルアクリルアミド／アクリレート／アルキルアミノアルキルアクリルアミド／ポリエチレングリコールメタクリレート共重合体、アジピン酸／ジメチルアミノヒドロキシプロピルジエチレントリアミン共重合体等が挙げられるが、特に限定されるものではない。
【００３１】
メチルセルロース、ヒドロキシプロピルメチルセルロース、ヒドロキシエチルセルロース、カルボキシメチルセルロース等の水溶性高分子、ポリエチレングリコール、ピロリドンカルボン酸ナトリウム、乳酸ナトリウム等の保湿剤、エチレングリコール脂肪酸エステル等のパール化剤、dl-α-トコフェロール等の酸化防止剤、高級脂肪酸類、炭化水素類、高級アルコール脂肪酸エステル、動植物油脂類、ツバキ油、オリーブ油、アボガド油、ホホバ油等の動植物油脂類等、香料、キレート剤、酵素、アミノ酸、薬効剤、保湿成分、抗炎症剤、殺菌剤、防腐剤、紫外線吸収剤、有機および無機粉体、色素、香料などを必要に応じて配合することができる。
【００３２】
また本発明の洗浄剤組成物は酸又はアルカリでｐＨ調整されるが、洗浄剤組成物のｐＨは感触、製品の安定性よりｐＨ３〜８、特に５〜７に調整されるのが好ましい。皮膚洗浄剤の場合はｐＨ８〜１１、特に９〜１１に調整されるのが好ましい。ｐＨが８より低いと低温で脂肪酸塩が析出する場合があり、また１１より高い場合は皮膚刺激が強くなる場合がある。
【００３３】
本発明の洗浄剤組成物は、常法に従って製造可能で、例えば毛髪洗浄料、全身洗浄料、洗顔洗浄料、手洗い剤等の身体用洗浄剤とすることができる。
【実施例】
【００３４】
次に、本発明を実施例により更に詳細に説明するが、本発明は実施例に限定されるものではない。なお、表１に本発明の両性界面活性剤１〜３、表２に比較に用いた両性界面活性剤(比較化合物)１〜４を示した。また、実施例１〜５及び比較例１〜５に示す洗浄剤組成物を常法により調製し、効果の評価を以下の試験方法（試験方法１〜３）にて実施し、結果を表３〜表５に示した。含有量は質量％である。
【００３５】
【表１】
0005567888.tif 000003
【００３６】
【表２】
0005567888.tif 000004
【００３７】
本実施例中で用いた試験方法は下記の通りである。
【００３８】
試験方法１（泡立ち（速泡性、持続性）試験）
それぞれ配合比：アニオン界面活性剤（ポリオキシエチレン（３）ラウリルエーテル硫酸ナトリウム）／両性界面活性剤／プロピレングリコール＝７／３／３（有効分）、濃度：０．２％（アニオン界面活性剤、両性界面活性剤の有効分より調整）、ｐＨ５．５〜６．０（クエン酸で調整）に調整した試料溶液３００mlを作成し、ジュースミキサーで３０秒間撹拌混合した直後の泡高と５分後の泡高を測定し、下記評価基準で評価した。（測定温度４０℃）
（泡立ち（速泡性、持続性）試験の評価基準）
◎：直後の泡高１４５mm以上、５分後の泡高１３０mm以上
○：直後の泡高１４５mm以上、５分後の泡高１２５〜１３０mm
△：直後の泡高１４０〜１４５mm、５分後の泡高１２０〜１２５mm
×：直後の泡高１４０mm以下、５分後の泡高１２０mm以下
【００３９】
試験方法２（低温安定性試験）
それぞれ配合比：アニオン界面活性剤（ポリオキシエチレン（３）ラウリルエーテル硫酸ナトリウム）／両性界面活性剤／ジプロピレングリコール＝７／３／３（有効分）、濃度：１５％（アニオン界面活性剤、両性界面活性剤の有効分より調整）、ｐＨ５．５〜６．０（クエン酸で調整）に調整した試料溶液１００mlを作成し、０℃、７〜２８日間の外観を観察し、下記評価基準で評価した。
（低温安定性の評価基準）
◎：２８日間析出なし
○：２１日目に析出観察
△：１４日目に析出観察
×：７日目に析出観察
【００４０】
試験方法３（洗浄時の使用感と乾燥時の感触及び翌日の感触）
健康黒髪にブリーチ処理を３０分行った損傷毛髪束（２０ｇ×２０ｃｍ）用いて、毛髪洗浄剤１．０ｇを塗布し、３０秒間泡立て、その後すすいでタオルドライ後ドライヤーで乾燥した時の洗浄時の使用感（泡立ち、泡質、滑り性）と乾燥時の感触（滑らかさ、しっとり感）及び乾燥翌日の感触（うるおい感）を１０名の専門パネラーにて、官能的に比較し、下記基準で評価した。
◎：良いと答えた人が９人以上の場合
○：良いと答えた人が６〜８人の場合
△：良いと答えた人が３〜５人の場合
×：良いと答えた人が２人以下の場合
【００４１】
試験方法４（総合評価）
上記評価（洗浄時の使用感と乾燥時の感触及び翌日の感触）の結果をポイント制（◎：３ポイント、○：２ポイント、△：１ポイント、×：０ポイント）にしてその合計より、下記基準で評価した。
ポイントの多いものが良い総合評価となる。
◎：１２ポイント以上
○：８〜１１ポイント
△：４〜７ポイント
×：３ポイント以下
【００４２】
【表３】
0005567888.tif 000005
【００４３】
【表４】
0005567888.tif 000006
【００４４】
【表５】
0005567888.tif 000007
【００４５】
次に、実施例６〜８及び比較例６〜７に示す皮膚洗浄剤組成物を常法により調製し、効果の評価を以下の試験方法（試験方法５）にて実施し、結果を表６に示した。含有量は質量％である。
【００４６】
試験方法５（泡立ちの良さ、すすぎ時のさっぱり感、洗浄後の滑らかさ、しっとり感、総合評価）
両手を水で濡らした後、皮膚洗浄剤組成物１ｍｌを手に採って１０秒間両手を擦り合わせた後、泡立ちの良さを、続けて、流水で手指に付いて泡や洗液をすすぎ流し、すすぎ時のさっぱり感を、タオルドライ後、手肌の感触から洗浄後の滑らかさ、しっとり感を１０名の専門パネラーにて、官能的に下記基準で評価した。
◎：良いと答えた人が９人以上の場合
○：良いと答えた人が６〜８人の場合
△：良いと答えた人が３〜５人の場合
×：良いと答えた人が２人以下の場合
上記評価（泡立ちの良さ、すすぎ時のさっぱり感、洗浄後の滑らかさ、しっとり感）の結果をポイント制（◎：３ポイント、○：２ポイント、△：１ポイント、×：０ポイント）にしてその合計より、下記基準で評価した。
ポイントの多いものが良い総合評価となる。
◎：１０ポイント以上
○：７〜９ポイント
△：４〜６ポイント
×：３ポイント以下
【００４７】
【表６】
0005567888.tif 000008
【００４８】
実施例１〜５及び比較例１〜５より明らかなように、本発明の洗浄剤組成物は、毛髪に良好な洗浄時の使用感（泡立ち、泡質、滑り性）と乾燥時の感触（滑らかさ、しっとり感）及び翌日のうるおい感を付与することに良好な性能を示した。
【００４９】
また実施例６〜８及び比較例６〜７より本発明の皮膚洗浄剤組成物は泡立ちの良さ、すすぎ時のさっぱり感、洗浄後の滑らかさ、しっとり感を付与することに優れていた。
【００５０】
上記記載のごとく、本発明は、毛髪や皮膚に対して良好な使用感とコンディショニング効果の付与し、かつ低温安定性が良好で、特にダメージヘアに対する洗髪時の使用感（泡立ち、泡質、滑り性）と乾燥時の感触（滑らかさ、しっとり感、翌日のうるおい感）に優れた洗浄剤組成物を提供する事が出来る。